(57)【要約】【課題】プロジェクターの異常発生による警告表示を見落としてしまうことで、異常発生要因が取り除かれていないままプロジェクターを使い続けてしまうことを防止する。【解決手段】プロジェクター１の制御手段２０は、異常検知手段４０が異常発生を検知した場合に、異常検知フラグ２１ａをセットし、当該プロジェクター１が電源オフの状態において、前記異常検知フラグ２１ａがセットされている場合には、前記遠隔操作よる電源オン操作を検出すると、前記電源オン操作を無効にする。【選択図】図２
2012230292.tif 000002
【特許請求の範囲】
【請求項１】
被投写面に画像を投写するプロジェクターであって、
光源から射出された光を画像情報に応じて変調して投写する画像投写手段と、
当該プロジェクターの異常発生を検知する異常検知手段と、
前記異常検知手段により異常発生が検知された場合にセットされる異常検知フラグと、
前記異常検知フラグを記憶する記憶手段と、
当該プロジェクターの本体に備えられ、入力操作を受け付ける本体操作手段と、
当該プロジェクターを遠隔操作するための操作信号を受信する操作信号受信手段と、
前記本体操作手段が受け付けた前記入力操作、および前記操作信号受信手段が受信した操作信号に基づいて、当該プロジェクターの動作を制御する制御手段と、を備え、
前記制御手段は、前記異常検知手段が前記異常発生を検知した場合に、前記異常検知フラグをセットし、
前記制御手段は、当該プロジェクターが電源オフの状態において、前記異常検知フラグがセットされている場合には、前記遠隔操作よる電源オン操作を検出すると、前記電源オン操作を無効にすることを特徴とする、プロジェクター。
【請求項２】
請求項１に記載のプロジェクターであって、
当該プロジェクターは、報知手段を備え、
当該プロジェクターが電源オフの状態において、前記異常検知フラグがセットされている場合には、前記報知手段は第１報知を行うことを特徴とする、プロジェクター。
【請求項３】
請求項２に記載のプロジェクターであって、
当該プロジェクターが電源オフの状態において、前記異常検知フラグがセットされている場合に、前記制御手段が前記遠隔操作による電源オン操作を検出すると、前記報知手段はさらに第２報知を行うことを特徴とする、プロジェクター。
【請求項４】
請求項１から３のいずれか一項に記載のプロジェクターであって、
当該プロジェクターが電源オフの状態において、前記異常検知フラグがセットされている場合には、前記制御手段は、前記本体操作手段による電源オン操作を受け付けると、当該プロジェクターを起動した後、前記異常発生を通知する警告メッセージを前記画像投写手段に投写させることを特徴とする、プロジェクター。
【請求項５】
被投写面に画像を投写するプロジェクターの制御方法であって、
光源から射出された光を画像情報に応じて変調して投写する画像投写手段と、
当該プロジェクターの異常発生を検知する異常検知手段と、
前記異常検知手段により異常発生が検知された場合にセットされる異常検知フラグと、
前記異常検知フラグを記憶する記憶手段と、
当該プロジェクターの本体に備えられ、入力操作を受け付ける本体操作手段と、
当該プロジェクターを遠隔操作するための操作信号を受信する操作信号受信手段と、を備え、
前記異常検知手段により、前記異常発生が検知された場合に、前記異常検知フラグをセットする異常検知ステップと、
当該プロジェクターが電源オフの状態において、前記異常検知フラグがセットされている場合には、前記操作信号による電源オン操作を受け付けると、前記電源オン操作を無効にする電源オン無効ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
画像を投写するプロジェクターにおいて、プロジェクター内部の温度が上昇した場合など異常が発生した場合に警告し、強制的に電源をオフする機能が使われている。
特許文献１には、異常により終了した場合に、次回の電源オン時に警告表示するものが開示されている。
【先行技術文献】
【特許文献】
【０００３】
【特許文献１】特開２００４−２７９９０８号公報
【発明の概要】
【発明が解決しようとする課題】
【０００４】
しかしながら、プレゼンテーションなどにおいて、ユーザーがプロジェクターから離れた場所で、リモートコントローラー（リモコン）により遠隔操作している場合では、警告表示自体を見落としてしまい、異常発生要因が取り除かれていないにもかかわらず、プロジェクターを使い続けてしまう虞があった。そのために、プロジェクターの使用中に再度異常が発生し、プロジェクターが故障してしまう虞もあった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、被投写面に画像を投写するプロジェクターであって、光源から射出された光を画像情報に応じて変調して投写する画像投写手段と、当該プロジェクターの異常発生を検知する異常検知手段と、前記異常検知手段により異常発生が検知された場合にセットされる異常検知フラグと、前記異常検知フラグを記憶する記憶手段と、当該プロジェクターの本体に備えられ、入力操作を受け付ける本体操作手段と、当該プロジェクターを遠隔操作するための操作信号を受信する操作信号受信手段と、前記本体操作手段が受け付けた前記入力操作、および前記操作信号受信手段が受信した操作信号に基づいて、当該プロジェクターの動作を制御する制御手段と、を備え、前記制御手段は、前記異常検知手段が前記異常発生を検知した場合に、前記異常検知フラグをセットし、前記制御手段は、当該プロジェクターが電源オフの状態において、前記異常検知フラグがセットされている場合には、前記遠隔操作よる電源オン操作を検出すると、前記電源オン操作を無効にすることを特徴とする。
【０００７】
本適用例によれば、異常検知手段によってプロジェクターに異常発生したことを検知した場合に異常検知フラグがセットされ、プロジェクターが電源オフの状態において、遠隔操作による電源オン操作を検出すると、遠隔操作による電源オン操作が無効となる。
これにより、ユーザーがプロジェクターから離れた場所でリモコンなどにより遠隔操作をしている場合でも、異常発生の警告表示を見落としてプロジェクターを使い続けてしまうことを防止することが可能になる。
【０００８】
［適用例２］上記適用例に記載のプロジェクターにおいて、当該プロジェクターは、報知手段を備え、当該プロジェクターが電源オフの状態において、前記異常検知フラグがセットされている場合には、前記報知手段は第１報知を行うことを特徴とする。これにより、プロジェクターの使用中に再度異常が発生し、プロジェクターが故障するのを防止することが可能となる。
【０００９】
本適用例によれば、プロジェクターの異常発生により異常検知フラグがセットされた後は、電源オフの状態において報知手段により第１報知が行われるので、ユーザーに異常発生を認識させ、異常原因を取り除くことを促すことが可能となる。
【００１０】
［適用例３］上記適用例に記載のプロジェクターにおいて、当該プロジェクターが電源オフの状態において、前記異常検知フラグがセットされている場合に、前記制御手段が前記遠隔操作による電源オン操作を検出すると、前記報知手段はさらに第２報知を行うことを特徴とする。
【００１１】
本適用例によれば、プロジェクターの異常発生により異常検知フラグがセットされた後は、遠隔操作により電源オン操作をしようとすると、報知手段により第２報知が行われるので、ユーザーに異常発生を認識させ、異常原因を取り除くことを促すことが可能となる。
【００１２】
［適用例４］上記適用例に記載のプロジェクターにおいて、当該プロジェクターが電源オフの状態において、前記異常検知フラグがセットされている場合には、前記制御手段は、前記本体操作手段による電源オン操作を受け付けると、当該プロジェクターを起動した後、前記異常発生を通知する警告メッセージを前記画像投写手段に投写させることを特徴とする。
【００１３】
本適用例によれば、遠隔操作による電源オン操作が無効とされている状態でも、本体操作手段による電源オン操作でプロジェクターを起動し、異常発生を通知する警告メッセージによってユーザーに異常発生内容を確認させ、異常要因を取り除くことを促すことが可能となる。これにより、プロジェクターが故障するのを防止することが可能となる。
【００１４】
［適用例５］本適用例に係るプロジェクターの制御方法は、被投写面に画像を投写するプロジェクターの制御方法であって、光源から射出された光を画像情報に応じて変調して投写する画像投写手段と、当該プロジェクターの異常発生を検知する異常検知手段と、前記異常検知手段により異常発生が検知された場合にセットされる異常検知フラグと、前記異常検知フラグを記憶する記憶手段と、当該プロジェクターの本体に備えられ、入力操作を受け付ける本体操作手段と、当該プロジェクターを遠隔操作するための操作信号を受信する操作信号受信手段と、を備え、前記異常検知手段により、前記異常発生が検知された場合に、前記異常検知フラグをセットする異常検知ステップと、当該プロジェクターが電源オフの状態において、前記異常検知フラグがセットされている場合には、前記操作信号による電源オン操作を受け付けると、前記電源オン操作を無効にする電源オン無効ステップと、を有することを特徴とする。
【００１５】
本適用例によれば、異常検知手段によってプロジェクターに異常発生したことを検知した場合に異常検知フラグがセットされ、プロジェクターが電源オフの状態において、遠隔操作による電源オン操作を検出すると、遠隔操作による電源オン操作が無効となる。
これにより、ユーザーがプロジェクターから離れた場所でリモコンなどにより遠隔操作をしている場合でも、異常発生の警告表示を見落としてプロジェクターを使い続けてしまうことを防止することが可能となる。これにより、プロジェクターの使用中に再度異常が発生し、プロジェクターが故障するのを防止することが可能となる。
【図面の簡単な説明】
【００１６】
【図１】プロジェクターの斜視図。（ａ）は前面から見た図。（ｂ）は背面から見た図。
【図２】プロジェクターの回路構成を示すブロック図。
【図３】プロジェクターの電源オン時の動作を示すフローチャート。
【図４】プロジェクターに電力が供給されたときの動作を示すフローチャート。
【図５】プロジェクターに異常が発生したときの動作を示すフローチャート。
【図６】プロジェクターの電源オフ時の動作を示すフローチャート。
【図７】異常発生時に投写するメッセージ。（ａ）はリモコンによる電源オン禁止を警告するメッセージを示し、（ｂ）は動作中の異常発生検知時に警告するメッセージを示す図。
【図８】プロジェクターの本体操作手段のキーを示す図。
【図９】プロジェクターのリモコンの操作キーを示す図。
【発明を実施するための形態】
【００１７】
以下、図面を参照して本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
図１は本実施形態のプロジェクターの斜視図であり、（ａ）は前面から見た図、（ｂ）は背面から見た図である。
図１（ａ）、（ｂ）に示すように、プロジェクター１は、上面２ｔ、前面２ｆ、背面２ｂなどを有する筐体２によって装置本体が覆われた構成となっている。なお、本実施形態においては、プロジェクター１に対して、投写方向でもある前面２ｆ方向を前方とし、前面２ｆの反対側である背面方向を後方とする。
【００１９】
筐体２の上面２ｔには、ユーザーにより入力操作が行われる複数の操作キーを備えた本体操作手段２３が備えられている。前面２ｆには、前方に向かって画像光を投写する投写レンズ１３が備えられている。背面２ｂには画像信号入力手段５、及び電源端子６が備えられている。また、前面２ｆおよび背面２ｂにはリモートコントローラー（リモコン）２５による遠隔操作を受け付ける操作信号受信手段２４が備えられている。
【００２０】
図２は、本実施形態のプロジェクターの回路構成を示すブロック図である。
図２に示すように、プロジェクター１は、画像投写手段１０、制御手段２０、記憶手段２１、光源制御手段２２、本体操作手段２３、操作信号受信手段２４、画像信号入力手段５、画像信号処理手段３、ＯＳＤ処理手段４、電源端子６、電源部７、報知手段３０、異常検知手段４０等で構成されており、これらは筐体２の内部に収容されている。
【００２１】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調し、投写レンズ１３から投写することによってスクリーンＳＣ等に画像を表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２３】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
【００２４】
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
【００２５】
形成された各色の画像光は、図示しない色合成光学系によって画素毎に合成されてカラーの画像光となった後、投写レンズ１３によってスクリーンＳＣ等に拡大投写される。
【００２６】
なお、上記実施形態では、画像投写手段１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２７】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２８】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では、異常検知手段４０がプロジェクター１に異常が発生したことを検知した場合にセットされる異常検知フラグ２１ａが保存される。
【００２９】
本体操作手段２３は、プロジェクター１の本体筐体外面に備えられ、ユーザーからの入力操作を受け付けるものであり、ユーザーがプロジェクター１に対して各種指示を行うための複数の操作キーを備えている。
図８に示すように、本体操作手段２３が備える操作キーとしては、電源のオン・オフを交互に切り替えるための電源キー２３ａや、画像信号入力手段５に入力される複数の画像入力端子を切り替えるための入力切替キー２３ｂ、各種設定を行うための設定メニューを重畳表示させるメニューキー２３ｃ、メニューからユーザーが設定項目を選択するカーソルキー２３ｄ、決定キー２３ｅ、エスケープキー２３ｆ、ヘルプキー２３ｇ等がある。
ユーザーが本体操作手段２３の各種操作キーを操作すると、本体操作手段２３は、ユーザーの操作内容に応じた操作信号を制御手段２０に出力する。
【００３０】
操作信号受信手段２４は、遠隔操作で入力操作を行うリモートコントローラー（リモコン／ＲＣとも称する）２５からの操作信号を受信し、ユーザーの操作内容に応じた、操作信号を制御手段２０に出力する。
図９に示すように、リモコン２５が備える操作キーとしては、本体操作手段２３と同等である、電源キー２５ａ、入力切替キー２５ｂ、メニューキー２５ｃ、カーソルキー２５ｄ、決定キー２５ｅ、エスケープキー２５ｆ、ヘルプキー２５ｇのキーに加え、画面ミュートキー２５ｈ、画面縦横比切替キー２５ｉ、カラーモード切替キー２５ｊ、番号入力キー２５ｋ等がある。
【００３１】
異常検知手段４０は、各種センサーなどで構成され、プロジェクター１に異常が発生したことを検知し、制御手段２０に通知する。
異常検知手段４０が検知する異常の種類としては、プロジェクター１の筐体内の温度が所定値以上になった場合の高温異常、プロジェクター１の光源を冷却するためのファンが正しく動作しなかった場合のファン異常などがあり、異常が発生した場合、異常検知フラグ２１ａがセットされる。
【００３２】
画像信号入力手段５は、上述したように複数の画像入力端子を備えており、各画像入力端子より、ビデオ再生装置やパーソナルコンピューター等、外部の画像出力装置から、図示しないケーブルを介して画像情報が入力される。
【００３３】
画像信号処理手段３は、画像信号入力手段５から入力される画像情報を、液晶ライトバルブ１２Ｒ、１２Ｇ、１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３４】
ＯＳＤ処理手段４は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段４は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段４は、必要なＯＳＤ画像情報をＯＳＤメモリーから読み出し、投写画像上の所定の位置にＯＳＤ画像が重畳されるように、画像信号処理手段３から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段４は、画像信号処理手段３から入力される画像情報を、そのまま液晶駆動手段１４に出力する。
【００３５】
液晶駆動手段１４は、本実施形態における画像形成部であり、ＯＳＤ処理手段４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３６】
電源部７には、ＡＣ１００Ｖ等の電力が電源端子６を介して外部から供給される。電源部７は、例えば商用電源（交流電源）を所定の電圧の直流電源に変換して、プロジェクター１の各部に電力を供給する。また、電源部７は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３７】
報知手段３０は、ＬＥＤ（Light emitting diode）や、ブザーなどで構成され、制御手段２０の指示により異常検知状態を報知する。報知手段３０が報知する報知状態としては、プロジェクター１が電源オフの状態において異常検知フラグ２１ａがセットされている場合に報知する第１報知と、第１報知の状態において、リモコンによる電源オン操作を検出した場合に報知する第２報知がある。これら２つの報知はＬＥＤによる点灯パターン、発光色やブザーの鳴動パターンなどで区別される。
【００３８】
光源制御手段２２は、制御手段２０の指示に基づいて、光源１１に対する電力の供給と停止とを制御し、光源１１の点灯、及び消灯を切り替える。
【００３９】
本実施形態のプロジェクター１は、上記のように構成されているため、電源端子６に電源ケーブル（図示せず）が接続され、電源部７に電力が供給されると、電源部７は、少なくとも制御手段２０、記憶手段２１、本体操作手段２３、及び操作信号受信手段２４に電力（スタンバイ電力）の供給を行い、制御手段２０は、この電力供給を受けて、制御プログラムに従った動作を開始する。
【００４０】
電力が供給された直後には、プロジェクター１は、スタンバイ状態（電源オフ状態ともいう。）であり、光源１１を消灯させた状態を維持している。そして、本体操作手段２３、又はリモコン２５に備わる電源キー２３ａ，２５ａのいずれかがユーザーにより操作されると、制御手段２０は、電源部７に指示をして、各部への動作電力の供給を開始させ、プロジェクター１を電源オン状態に移行させる。
本実施形態においてのスタンバイ状態が、電源オフの状態に相当する。さらにスタンバイ状態より電源オン状態に移行させる操作が、電源オン操作に相当する。
【００４１】
次に、本実施形態のプロジェクター１の動作を、図３から図６のフローチャートを用いて説明する。
（電源オン操作）
図３はプロジェクター１の電源オン時の動作を示すフローチャートである。
図３に示すように、プロジェクター１がスタンバイ状態において、本体操作手段２３またはリモコン２５の操作信号により電源オン操作を検出すると（ステップＳ１０１）、制御手段２０は、異常検知フラグ２１ａがセットされているか否かを調べる（ステップＳ１０２）。異常検知フラグ２１ａがセットされている場合（ステップＳ１０２：Ｙ）、ステップＳ１０３に遷移する。異常検知フラグ２１ａがセットされていない場合（ステップＳ１０２：Ｎ）、ステップＳ１０７に遷移する。
【００４２】
ステップＳ１０３において制御手段２０は、ステップＳ１０１において検出された電源オン操作がリモコン２５によるものか否かを調べる。リモコン２５の電源オン操作による場合（ステップＳ１０３：Ｙ）、ステップＳ１０５に遷移する。リモコン２５による電源オン操作でない場合、即ち本体操作手段２３の電源オン操作による場合（ステップＳ１０３：Ｎ）、ステップＳ１０４に遷移する。
【００４３】
ステップＳ１０５において制御手段２０は、報知手段３０に所定時間（例えば５秒）、第２報知を行わせた後、プロジェクター１をスタンバイ状態に移行させ（ステップＳ１０６）、本動作フローを終了する。
【００４４】
ステップＳ１０４において制御手段２０は、詳しくは後述する報知手段３０による第１報知を終了させ、ステップＳ１０７に遷移する。
【００４５】
ステップＳ１０７において制御手段２０は、光源制御手段２２により光源１１を点灯させ、プロジェクター１を電源オンの状態に移行させた後、ステップＳ１０８に遷移する。
【００４６】
ステップＳ１０８において制御手段２０は、異常検知フラグ２１ａがセットされているか否かを調べる。異常検知フラグ２１ａがセットされている場合（ステップＳ１０８：Ｙ）、異常発生によりリモコンによる電源オンが禁止されている警告メッセージＭ１を画像投写手段１０に投写させ（ステップＳ１０９）、ステップＳ１１０に遷移する。
このときの警告メッセージＭ１を図７（ａ）に示す。一方、異常検知フラグ２１ａがセットされていない場合（ステップＳ１０８：Ｎ）、ステップＳ１１０に遷移する。
【００４７】
ステップＳ１１０において制御手段２０は、異常検知フラグ２１ａをクリアし、ステップＳ１１１に遷移する。
【００４８】
ステップＳ１１１において制御手段２０は、画像信号入力手段５から入力される画像データを画像投写手段１０に投写させ（投写開始）、本動作フローを終了する。
【００４９】
（電力供給）
図４はプロジェクター１に電力が供給されたときの動作を示すフローチャートである。
図４に示すように、プロジェクター１に電力が供給されると（ステップＳ２０１）、制御手段２０は、異常検知フラグ２１ａがセットされているか否かを調べる（ステップＳ２０２）。異常検知フラグ２１ａがセットされている場合（ステップＳ２０２：Ｙ）、ステップＳ２０３に遷移する。異常検知フラグ２１ａがセットされていない場合（ステップＳ２０２：Ｎ）、ステップＳ２０５に遷移する。
【００５０】
ステップＳ２０３において制御手段２０は、報知手段３０に第１報知を行わせ、ステップＳ２０５に遷移する。
【００５１】
ステップＳ２０５において制御手段２０は、プロジェクター１をスタンバイ状態に移行させ、本動作フローを終了する。
【００５２】
（異常検知）
図５はプロジェクター１の動作中に異常検知手段４０がプロジェクター１に異常が発生したことを検知した場合の動作を示すフローチャートである。
図５に示すように、プロジェクター１の投写中にプロジェクター１に異常が発生したことを異常検知手段４０が検知すると（ステップＳ３０１）、制御手段２０は、異常検知フラグ２１ａをセットし（ステップＳ３０２）、ステップＳ３０３に遷移する。
【００５３】
ステップＳ３０３において制御手段２０は、プロジェクター１に異常が発生したことを通知する警告メッセージＭ２を画像投写手段１０に投写させ、ステップＳ３０４に遷移する。このときの警告メッセージＭ２を図７（ｂ）に示す。
【００５４】
ステップＳ３０４において本動作フローを終了する。
【００５５】
（電源オフ操作）
図６はプロジェクター１の電源オフ時の動作を示すフローチャートである。
図６に示すように、プロジェクター１が投写中に、本体操作手段２３またはリモコン２５の操作信号により電源オフ操作を検出すると（ステップＳ４０１）、制御手段２０は、光源制御手段２２により光源１１を消灯させるとともにスタンバイ状態に移行させ（ステップＳ４０２）、次のステップＳ４０３に遷移する。
【００５６】
ステップＳ４０３において制御手段２０は、異常検知フラグ２１ａがセットされているか否かを調べる。異常検知フラグ２１ａがセットされている場合（ステップＳ４０３：Ｙ）、制御手段２０は報知手段３０に第１報知を行わせ（ステップＳ４０４）、ステップＳ４０５に遷移する。
一方、異常検知フラグ２１ａがセットされていない場合（ステップＳ４０３：Ｎ）、ステップＳ４０５に遷移する。
【００５７】
ステップＳ４０５において制御手段２０は、プロジェクター１のスタンバイ状態を継続させ、本動作フローを終了する。
【００５８】
以上説明したように、本実施形態のプロジェクター１によれば、異常検知手段４０がプロジェクター１に異常発生したことを検知した場合に異常検知フラグ２１ａがセットされ、プロジェクター１が電源オフの状態でリモコン２５による電源オン操作を検出すると、リモコン２５による電源オン操作が無効となる。
これにより、ユーザーがプロジェクター１から離れた場所でリモコン２５などにより遠隔操作している場合でも、異常発生の警告表示を見落としてプロジェクター１を使い続けてしまうことを防止することが可能になる。
【００５９】
また、異常発生により異常検知フラグ２１ａがセットされた後は、電源オフの状態で第１報知が、さらにリモコン２５を使って電源オン操作をしようとした場合は第２報知により異常発生が報知されるので、ユーザーに異常発生を認識させ、異常原因を取り除くことを促すことが可能となる。これにより、プロジェクターの使用中に再度異常が発生し、プロジェクターが故障するのを防止することが可能となる。
【００６０】
また、上述した、リモコン２５による電源オン操作が無効とされている状態でも、本体操作手段２３による電源オン操作でプロジェクター１を使用することができるので、異常発生により異常検知フラグ２１ａがセットされた後にプロジェクター１の電源をオンし、異常発生内容を確認させることが可能となる。
【００６１】
また、上記実施形態は、以下のように変更してもよい。
（変形例１）
上述した実施形態においては、異常検知フラグ２１ａがセットされた状態において、リモコン２５による電源オン操作を検出した場合に報知手段３０により第２報知を行っているが、本体操作手段２３による電源オン操作を検出した場合にも所定時間報知を行った後、電源をオンするようにしてもよい。
これにより、普段はリモコン２５を使わずに本体操作手段２３によって電源オン操作を行っているユーザーにも、異常発生を確実に通知することが可能となる。
【符号の説明】
【００６２】
１…プロジェクター、３…画像信号処理手段、４…ＯＳＤ処理手段、５…画像信号入力手段、６…電源端子、７…電源部、１０…画像投手段、１１…光源、１２Ｒ，１２Ｇ，１２Ｂ…液晶ライトバルブ、１３…投写レンズ、１４…液晶駆動手段、２０…制御手段、２１…記憶手段、２１ａ…異常検知フラグ、２２…光源制御手段、２３…本体操作手段、２４…操作信号受信手段、２５…リモートコントローラー（リモコン／ＲＣ）、３０…報知手段、４０…異常検知手段。
【図１】
2012230292.tif 000003
【図２】
2012230292.tif 000004
【図３】
2012230292.tif 000005
【図４】
2012230292.tif 000006
【図５】
2012230292.tif 000007
【図６】
2012230292.tif 000008
【図７】
2012230292.tif 000009
【図８】
2012230292.tif 000010
【図９】
2012230292.tif 000011